(57)【要約】【課題】印刷指示を受けた後に、主画像データから少なくとも輪郭画像データを抽出して、それぞれ別々に印刷する記録用紙の選択を行う。【解決手段】入力された画像データに基づき輪郭を抽出し、かつ当該抽出した輪郭画像データに対して、線種、色、倍率の少なくとも１つを含む編集項目を編集するモードを備えており、主たるＧＵＩに対して、編集するモードの副ＧＵＩが設定されたプリンタドライバ。更に、画像データと輪郭画像データのそれぞれに対して給紙トレイを選択することができるプリンタドライバ。【選択図】図４
2010079629.tif 000002
【特許請求の範囲】
【請求項１】
印刷指示に基づき生成される印刷ジョブデータを受け付ける受付手段と、
前記受付手段で受け付けた印刷ジョブデータに含まれる印刷対象である主画像データの編集を指示する編集指示手段と、
前記編集指示手段により編集指示があった場合に、少なくとも前記主画像データの輪郭画像データを抽出する編集処理を実行する編集処理手段と、
前記主画像データに基づく印刷が実行される記録用紙の種類と、前記編集処理手段により編集処理された輪郭画像データに基づく印刷が実行される記録用紙の種類と、をそれぞれ別々に指定する記録用紙種指定手段と、
前記記録用紙種指定手段で指定されたそれぞれの記録用紙の種類に基づいて、前記主画像データ及び前記輪郭画像データのそれぞれの印刷の実行を指示する印刷実行指示手段と、
を有する印刷実行制御装置。
【請求項２】
前記編集処理手段が、
前記輪郭画像データの抽出に加え、当該輪郭画像データに基づく倍率変更、線種変更、色変更の少なくとも１つを含む編集項目に基づいて編集処理する請求項１記載の印刷実行制御装置。
【請求項３】
前記主画像データに基づいて印刷されるときに選択される記録用紙が、相対的に肉厚寸法が薄い表面層となり、前記輪郭画像データに基づいて印刷されるときに選択される記録用紙が、当該表面層の記録用紙が撓むことを抑制するように補強する補強層となり得る請求項１又は請求項２記載の印刷実行制御装置。
【請求項４】
コンピュータを、請求項１〜請求項３の印刷実行制御装置として機能させるための印刷実行制御プログラム。
【請求項５】
少なくとも２種類の記録用紙をそれぞれ装填する装填部と、
受け付けた印刷ジョブデータに含まれる主画像データに対する編集の要否を判定する編集要否判定手段と、
前記編集要否判定手段により編集が必要と判定された場合に、少なくとも前記主画像データに対する輪郭画像データを抽出する編集処理を実行する編集処理手段と、
前記主画像データに基づいて印刷するときの前記記録用紙の種類と、前記輪郭画像データに基づいて印刷するときの前記記録用紙の種類とを、それぞれ別々に指定する記録用紙種指定手段と、
前記画像データ及び前記輪郭画像データに基づく印刷処理を、前記記録用紙種指定手段で指定された記録用紙種に基づいて、前記装填部に装填された記録用紙を選択的に取り出して、時系列に印刷処理を実行する印刷処理実行手段と、
を有する印刷装置。
【請求項６】
前記編集処理手段が、
前記輪郭画像データの抽出に加え、当該輪郭画像データに基づく倍率変更、線種変更、色変更の少なくとも１つを含む編集項目に基づいて編集処理する請求項５記載の印刷装置。
【請求項７】
前記主画像データに基づいて印刷されるときに選択される記録用紙が、相対的に肉厚寸法が薄い表面層となり、前記輪郭画像データに基づいて印刷されるときに選択される記録用紙が、当該表面層の記録用紙が撓むことを抑制するように補強する補強層となり得る請求項５又は請求項６記載の印刷装置。
【発明の詳細な説明】
【技術分野】
【０００１】
本発明は、印刷実行制御装置、印刷実行制御プログラム、及び印刷装置に関する。
【背景技術】
【０００２】
特許文献１には、工作台紙から、積層したときに互いに表裏層となる模様が印刷された装飾部品と、この表裏層の装飾部品に挟まれて撓み等を補強するために輪郭のみ印刷された補強部品とを生成している内容が記載されている。
【０００３】
この特許文献１では、１枚の工作台紙に基準となる枠を複数設けて、印刷対象物の輪郭をその基準枠内に中心に配置して印刷することにより、基準枠に沿って切り取り、重ね合わせて印刷対象物を切り取る際、印刷対象物の輪郭にずれがでることを防止する。
【特許文献１】特開２００１−１８８４６６号公報
【発明の開示】
【発明が解決しようとする課題】
【０００４】
本発明は、印刷指示を受けた後に、主画像データから少なくとも輪郭画像データを抽出して、それぞれ別々に印刷する記録用紙の選択を行うことができる印刷実行制御装置、印刷実行制御プログラム、及び印刷装置を得ることを目的とする。
【課題を解決するための手段】
【０００５】
請求項１の発明は、印刷指示に基づき生成される印刷ジョブデータを受け付ける受付手段と、前記受付手段で受け付けた印刷ジョブデータに含まれる印刷対象である画像データの編集を指示する編集指示手段と、前記編集指示手段により編集指示があった場合に、少なくとも前記主画像データの輪郭画像を抽出する編集処理を実行する編集処理手段と、前記主画像データに基づく印刷が実行される記録用紙の種類と、前記編集処理手段により編集処理された輪郭画像データに基づく印刷が実行される記録用紙の種類と、をそれぞれ別々に指定する記録用紙種指定手段と、前記記録用紙種指定手段で指定されたそれぞれの記録用紙の種類に基づいて、前記主画像データ及び前記輪郭画像データのそれぞれの印刷の実行を指示する印刷実行指示手段と、を有している。
【０００６】
請求項２に記載の発明は、前記編集処理手段が、前記輪郭画像データの抽出に加え、当該輪郭画像データに基づく倍率変更、線種変更、色変更の少なくとも１つを含む編集項目に基づいて編集処理する、ことを特徴としている。
【０００７】
請求項３に記載の発明は、前記主画像データに基づいて印刷されるときに選択される記録用紙が、相対的に肉厚寸法が薄い表面層となり、前記輪郭画像データに基づいて印刷されるときに選択される記録用紙が、当該表面層の記録用紙が撓むことを抑制するように補強する補強層となり得る、ことを特徴としている。
【０００８】
請求項４に記載の発明は、コンピュータを、請求項１〜請求項３の印刷実行制御装置として機能させることを特徴としている。
【０００９】
請求項５に記載の発明は、少なくとも２種類の記録用紙をそれぞれ装填する装填部と、受け付けた印刷ジョブデータに含まれる主画像データに対する編集の要否を判定する編集要否判定手段と、を有し、前記編集要否判定手段により編集が必要と判定された場合に、少なくとも前記主画像データに対する輪郭画像データを抽出する編集処理を実行する編集処理手段と、前記主画像データに基づいて印刷するときの前記記録用紙の種類と、前記輪郭画像データに基づいて印刷するときの前記記録用紙の種類とを、それぞれ別々に指定する記録用紙種指定手段と、前記画像データ及び前記輪郭画像データに基づく印刷処理を、前記記録用紙種指定手段で指定された記録用紙種に基づいて、前記装填部に装填された記録用紙を選択的に取り出して、時系列に印刷処理を実行する印刷処理実行手段と、を有することを特徴としている。
【００１０】
請求項６に記載の発明は、前記編集処理手段が、前記輪郭画像データの抽出に加え、当該輪郭画像データに基づく倍率変更、線種変更、色変更の少なくとも１つを含む編集項目に基づいて編集処理する、ことを特徴としている。
【００１１】
請求項７に記載の発明は、前記主画像データに基づいて印刷されるときに選択される記録用紙が、相対的に肉厚寸法が薄い表面層となり、前記輪郭画像データに基づいて印刷されるときに選択される記録用紙が、当該表面層の記録用紙が撓むことを抑制するように補強する補強層となり得る、ことを特徴としている。
【発明の効果】
【００１２】
請求項１記載の発明によれば、本構成を有しない場合に比して、印刷指示を受けた後に、主画像データから少なくとも輪郭画像データを抽出して、それぞれ別々に印刷する記録用紙の選択を行うことができる印刷実行制御装置、印刷実行制御プログラム、及び印刷装置を得ることができる。
【００１３】
請求項２記載の発明によれば、本構成を有しない場合に比して、倍率変更、線種変更、色変更の少なくとも１つを編集することができる。
【００１４】
請求項３記載の発明によれば、本構成を有しない場合に比して、印刷する記録用紙を選択することができる。
【００１５】
請求項４記載の発明によれば、本構成を有しない場合に比して、印刷指示を受けた後に、主画像データから少なくとも輪郭画像データを抽出して、それぞれ別々に印刷する記録用紙の選択を行うことができる印刷実行制御装置、印刷実行制御プログラム、及び印刷装置を得ることができる。
【００１６】
請求項５記載の発明によれば、本構成を有しない場合に比して、印刷指示を受けた後に、主画像データから少なくとも輪郭画像データを抽出して、それぞれ別々に印刷する記録用紙の選択を行うことができる印刷実行制御装置、印刷実行制御プログラム、及び印刷装置を得ることができる。
【００１７】
請求項６記載の発明によれば、本構成を有しない場合に比して、倍率変更、線種変更、色変更の少なくとも１つを編集することができる。
【００１８】
請求項７記載の発明によれば、本構成を有しない場合に比して、印刷する記録用紙を選択することができる。
【発明を実施するための最良の形態】
【００１９】
図１には、本実施の形態に係る画像形成システム１０が示されている。この画像形成システム１０は、クライアントＰＣ１２と、プリンタ３０とが通信回線網２８を介して接続されている。
【００２０】
図２には、クライアントＰＣ１２のハード構成図が示されている。図２に示すように、クライアントＰＣ１２の制御装置本体１２Ａは、ＣＰＵ１４、ＲＡＭ１６、ＲＯＭ１８、Ｉ／Ｏ（入出力部）２０、及びこれらを接続するデータバスやコントロールバス等のバス２２を有している。
【００２１】
Ｉ／Ｏ２０には、キーボード１２Ｂ、マウス１２Ｃ、モニタ１２Ｄがそれぞれ接続されている。また、このＩ／Ｏ２０には、少なくともＲＡＭ１６よりも記憶容量が大きい大容量記録媒体であるハードディスク（ＨＤＤ）２４が接続され、複数のジョブデータ（印刷ジョブデータ等）が記憶できるようになっている。また、Ｉ／Ｏ２０は、Ｉ／Ｆ２６を介して通信回線網２８に接続されている。
【００２２】
図１に示される如く、クライアントＰＣ１２では、この通信回線網２８を介して、例えば、所定のアプリケーションプログラムを立ち上げることで作成された、印刷するべき画像データを含む印刷ジョブデータをプリンタ３０へ送信するようになっている。
【００２３】
プリンタ３０には画像形成部３２が備えられており、それぞれ図示しない感光体ドラム、帯電器、露光装置、現像器、転写ロール、及び定着ユニットを含んで構成されている。
【００２４】
また、感光体ドラムの周囲には、帯電器、露光装置、現像器、及び転写ロールが配置されている。
【００２５】
このプリンタ３０では、前記アプリケーションプログラムによって作成された画像データに基づいて感光体ドラム上に静電潜像を形成し、トナー現像した後、用紙３６へ転写することで画像記録処理を行なっている。
【００２６】
ここで、プリンタ３０の下方には、前記用紙３６（３６Ａ、３６Ｂ）を装填するための複数の給紙トレイ３４Ａ、給紙トレイ３４Ｂが設けられている。以下、給紙トレイ３４Ａと給紙トレイ３４Ｂを特に区別しない場合には、単に「給紙トレイ３４」と表記する。
【００２７】
給紙トレイ３４Ａには、用紙３６Ａが装填されており、一方、給紙トレイ３４Ｂには、用紙３６Ｂが装填されている。
【００２８】
本実施の形態では、用紙３６Ａは、用紙３６Ｂに対して肉厚寸法が薄い用紙である（以下、必要に応じて「薄紙用紙３６Ａ」という）。
【００２９】
一方、用紙３６Ｂは、用紙３６Ａに対して肉厚寸法が厚い用紙である（以下、必要に応じて「厚紙用紙３６Ｂ」という）。
【００３０】
薄紙用紙３６Ａ及び厚紙用紙３６Ｂは、互いに貼り合わされるようになっており、その際、薄紙用紙３６Ａは相対的に表紙、厚紙用紙３６Ｂは薄紙用紙を補強する補強紙としての役目を有する（詳細後述）。
【００３１】
図１に示される如く、クライアントＰＣ１２には、プリンタドライバが予めインストールされている。プリンタドライバは、プリンタ３０へ印刷させるための印刷ジョブデータを作成し、プリンタ３０の動作を制御する。また、プリンタドライバは、アプリケーションプログラムで作成された印刷ジョブデータをクライアントＰＣ１２からプリンタ３０へ送信する役目を有している。
【００３２】
前記アプリケーションプログラムでは、広告やＰＯＰ等を作成するために画像処理等を行うようになっている。一方、プリンタドライバでは、主として印刷ジョブデータを当該アプリケーションプログラムに基づく処理手順によって、プリンタ３０を出力先とする印刷指示に基づいて、データに変換（例えば、ラスタデータに変換等）した後、プリンタ３０へ送出する。
【００３３】
ここで、本実施の形態では、前述した薄紙用紙３６Ａ及び厚紙用紙３６Ｂを用いて、店舗の商品棚に陳列された商品を特徴付けるためのＰＯＰ広告を作成するようにしている。このＰＯＰ広告は、現状は一枚の紙（薄紙用紙３６Ａ）に必要な情報を印字して陳列棚の適宜箇所に貼り付けるようにしている。このとき、貼り付け面積が狭いと一枚の紙では撓む可能性があり、本実施の形態では、アプリケーションプログラムからプリンタドライバへ印刷ジョブデータをいわゆる投げた後において補強となる厚紙用紙３６Ｂへの印刷指示を可能としている。
【００３４】
図３には、上記薄紙用紙３６Ａ及び厚紙用紙３６Ｂへの印刷を指示するためのプリンタドライバ設定画面４０Ａ〜４０Ｃが示されている。なお、以下において、プリンタドライバ設定画面４０Ａ、４０Ｂ、及び４０Ｃを特に区別しない場合には、単に「プリンタドライバ設定画面４０」と表記する。
【００３５】
図３（Ａ）に示される如く、印刷設定画面４０Ａは、主画像の画像設定及びプリンタ３０へ印刷指示を出すようになっている。
【００３６】
印刷設定画面４０Ａには、プレビュー表示領域Ａ１、印刷設定領域Ａ２、及びあて紙印刷やＯＫボタン等を含む領域Ａ３が備えられている。
【００３７】
領域Ａ３に設けられている「あて紙印刷」ボタン４２にポインタを合わせてマウス１２Ｃでクリックする（以下、ポインタを合わせてマウス１２Ｃでクリックすることを、単に「操作」と表記する）ことにより、あて紙印刷画面４０Ｂが表示されるようになっている。
【００３８】
図３（Ｂ）に示される如く、あて紙印刷画面４０Ｂでは、表面の裏側に紙を貼り付けるためのあて紙画像を設定するようになっている。あて紙をすることにより、表面が補強されるようになっている。
【００３９】
あて紙印刷画面４０Ｂには、プレビュー表示領域Ｂ１、印刷設定領域Ｂ２、ＯＫボタン等を含む領域Ｂ３が備えられている。
【００４０】
領域Ｂ１には、プレビュー画面４３が表示されている。プレビュー画面４３では、主画像データの画像が表示されるプレビュー画面４３Ａと、主画像データから輪郭のみを抽出したもので、あて紙画像データとなる副画像データの画像を表示するプレビュー画面４３Ｂとが並列に表示されるようになっている。
【００４１】
また、領域Ｂ２では、あて紙となる画像データを編集する編集項目が設けられている。
【００４２】
領域Ｂ２では、あて紙印刷を行う記録用紙を選択するための給紙トレイボタン４５、あて紙印刷において手差しトレイを使用するための手差しボタン４７、あて紙印刷の部数を決定するあて紙部数ボタン４６、あて紙印刷を主画像の印刷よりも拡張するためのあて紙拡張ボタン４８、及び副画像の線種を決定する輪郭線種ボタン４４を含んでいる。
【００４３】
あて紙部数ボタン４６により決定されたあて紙枚数を切り取り、表面に貼り付けることにより、表面５０Ａの裏面にあて紙５０Ｂの分だけ厚みを持った補強広告５０を作成することができる（補強広告５０）。
【００４４】
また、あて紙拡張ボタン４８によりあて紙部分画像５２Ｂを表面５２Ａより倍率を高くして印刷することで、広告等を編集することも可能である（編集広告５２）。
【００４５】
図３（Ｃ）に示される如く、輪郭線種画面４０Ｃは、領域Ｂ２にある「輪郭線種」ボタン４４を操作することにより表示される。
【００４６】
輪郭線種画面４０Ｃでは、あて紙を貼り付けるために抽出する表面の輪郭の線の種類が決定される。
【００４７】
また、輪郭線種画面４０Ｃには、輪郭の色を決定する画面を含んだ領域Ｃ１、輪郭の線種を決定する画面を含んだ領域Ｃ２、及び輪郭の線幅を決定する画面を含んだ領域Ｃ３、及びＯＫ又はキャンセルボタンを含んだ領域Ｃ４が備えられている。
【００４８】
輪郭線種画面４０Ｃにある領域Ｃ１、領域Ｃ２、及び領域Ｃ３で線種の決定を行い、領域Ｃ４にあるＯＫボタンを操作するか、又はキャンセルボタンを操作することにより、あて紙印刷画面４０Ｂに戻る。
【００４９】
図４には、プリンタドライバ制御部６６における印刷データの生成及び送出手順を機能的に示したブロック図が示されている。なお、この機能ブロック図は、ハード構成を限定するものではない。
【００５０】
入力系６２（キーボード１２Ｂ、マウス１２Ｃ）は、アプリケーションソフト実行制御部６０に接続されている。入力系６２は、アプリケーションソフト実行制御部６０へ所定の指示信号を送信する。
【００５１】
アプリケーションソフト実行制御部６０では、入力系６２から送信された指示信号を受信し、出力系６４（モニタ１２Ｃ）に指示信号の内容を出力させる。
【００５２】
更に、入力系６２は、プリンタドライバ制御部６６の入力信号解析部６８と接続されており、入力系６２から入力された信号が入力信号解析部６８により解析され、ジョブデータ受付部７０、印刷実行部７４、あて紙用画像データ抽出部７６、及び表示画面切替制御部７８のそれぞれへ信号が振り分けられる。
【００５３】
入力信号解析部６８による解析の結果、印刷指示信号の場合は、ジョブデータ受付部７０へ印刷指示信号が送信される。また、入力信号解析部６８による解析の結果、印刷実行指示信号の場合は、印刷実行部７４へは印刷実行指示信号が送信される。さらに、入力信号解析部６８による解析の結果、あて紙印刷関連情報の場合は、あて紙用画像データ抽出部７６へはあて紙印刷関連情報が送信される。
【００５４】
また、表示画面切替制御部７８へは、主画像を印刷するためのユーザインタフェース画面である印刷設定画面４０Ａの起動指示の信号や、あて紙印刷ボタン４２、ＯＫボタン（図示せず）等の情報の信号が送信される。
【００５５】
表示画面切替部７８は、印刷設定画面表示制御部８０、及びあて紙印刷画面表示制御部８２に接続されている。表示画面切替部７８に入力された印刷設定画面起動指示信号は、印刷設定画面表示制御部８０へ送出される。この結果、印刷設定画面表示制御部８０では、印刷設定画面を表示するように出力系６４を制御する。また、印刷設定画面表示制御部８０には、表示画面切替部７８からＯＫボタンの操作信号が入力されるようになっている。
【００５６】
一方、あて紙印刷画面表示制御部８２には、表示画面切替部７８からあて紙設定ボタンの操作信号が入力されるようになっている。この結果、あて紙印刷画面表示制御部８２では、あて紙印刷画面を表示するように出力系６４を制御する。また、あて紙印刷画面表示制御部８２は、輪郭線種画面表示部８３に接続されている。輪郭線種画面表示部８３は、後述するあて紙画像データである輪郭画像の線種等を設定するための輪郭線種画面を表示するように出力系６４を制御する。
【００５７】
すなわち、印刷設定画面表示制御部８０、あて紙印刷画面表示制御部８２、及び輪郭線種画面表示制御部８３は、図３に示される印刷設定画面４０Ａ（図３（Ａ）参照）、あて紙印刷画面４０Ｂ（図３（Ｂ）参照）、輪郭線種画面４０Ｃ（図３（Ｃ）参照）をそれぞれモニタ１２Ｄ上に表示させるようになっている。
【００５８】
印刷設定画面４０Ａ上では主画像用の印刷属性の設定が行なわれる。この印刷属性とは、原稿サイズ、出力用紙サイズ、両面カラーモード、倍率等をいう。
【００５９】
表示画面切替部７８は、印刷設定画面４０Ａ上のあて紙印刷ボタン４２が操作されることにより、あて紙印刷画面４０Ｂに切り替えるようになっている。
【００６０】
あて紙印刷画面４０Ｂでの設定が行われ、ＯＫボタンやキャンセルボタン等が操作されることにより、あて紙画像の印刷に関しての印刷属性の設定が行なわれる。
【００６１】
あて紙印刷画面４０Ｂ上の輪郭線種ボタン４４が操作されることにより、輪郭線種画面４０Ｃが表示されるようになっている。
【００６２】
この輪郭線種画面４０Ｃでは、領域Ｃ１、Ｃ２、Ｃ３に表示された各項目に従って、あて紙印刷をするための輪郭線種についての設定が行われる。上記あて紙印刷をするための輪郭線種についての設定を終了するには、ＯＫボタン又はキャンセルボタンが操作される必要がある。なお、ＯＫボタンは設定を確定するときに操作され、キャンセルボタンは設定を解除するときに操作される。また、設定内容は、逐次輪郭線種画面４０Ｃの表示内容が変更されることで確認可能となっている。
【００６３】
さらに、アプリケーションソフト実行制御部６０は、プリンタドライバ制御部６６内のジョブデータ受付部７０に接続されている。ジョブデータ受付部７０では、入力信号解析部６８からの印刷指示信号が入力されると同時期に、アプリケーションソフト実行制御部６０から出力される印刷ジョブデータが受け付けられる。
【００６４】
ジョブデータ受付部７０は、ＲＩＰ処理部７２とあて紙用画像データ抽出部７６に接続されている。ジョブデータ受付部７０は、ＲＩＰ処理部７２及びあて紙用画像データ抽出部７６のそれぞれに印刷ジョブデータを送出する。
【００６５】
ＲＩＰ処理部７２は、ジョブデータ受付部７０から受信した印刷ジョブデータをＲＩＰ処理（ページ記述言語に従った例えばビットマップデータ等のラスタデータへの変換処理）して印刷データを生成する。印刷データとは、本実施の形態に適用されるプリンタ３０で適用するためのデータである。
【００６６】
あて紙用画像データ抽出部７６は、ジョブデータ受付部７０から受信した印刷ジョブデータに基づいて、あて紙用画像データを生成する。あて紙用画像データとは、本実施の形態では、主画像データの輪郭のみを抽出した輪郭データに相当する。
【００６７】
あて紙用画像データ抽出部７６は、ＲＩＰ処理部７７に接続されている。あて紙画像データ抽出部７６からＲＩＰ処理部７７へは、ＲＩＰ処理部７７によって抽出されたあて紙画像データが送出される。
【００６８】
ＲＩＰ処理部７７は、あて紙用画像データ抽出部７６から受信した印刷ジョブデータをＲＩＰ処理（ページ記述言語に従った例えばビットマップデータ等のラスタデータへの変換処理）して印刷データを生成する。印刷データとは、本実施の形態に適用されるプリンタ３０で適用するためのデータである。
【００６９】
ここで、前記入力信号解析部６８から印刷実行部７４へ印刷実行指示信号が送出された場合、印刷実行部７４は、印刷実行のためにデータ統合部８４を起動させる信号を出力させる。
【００７０】
データ統合部８４は、ＲＩＰ処理部７２及びＲＩＰ処理部７７に接続されている。
【００７１】
データ統合部８４が起動すると、ＲＩＰ処理部７２から主画像データの印刷データが入力される。
【００７２】
データ統合部８４が起動すると、ＲＩＰ処理部７７からあて紙用画像データの印刷データが入力される。
【００７３】
データ統合部８４では、上記受信した主画像データの印刷データ及びあて紙用画像データの印刷データを統合する。
【００７４】
データ統合部８４は、統合印刷データ出力部８６に接続されている。
【００７５】
データ統合部８４から統合印刷データ出力部８６へは、前記統合された主画像データの印刷データ及びあて紙用画像データの印刷データ（統合印刷データ）が送出される。
【００７６】
統合印刷データ出力部８６は、Ｉ／Ｆ２６を介してプリンタ３０へ統合印刷データを送出する。
【００７７】
以下に、図５のフローチャートに従い、本実施の形態の作用を説明する。図５は、プリンタドライバ制御部６６で実行される印刷指示制御のメインルーチンを示すフローチャートである。
【００７８】
ステップ１００では、印刷ジョブデータ受付部７０が印刷ジョブデータを受け付けたか否かが判定される。印刷ジョブデータを受け付けていないと判定した場合には、処理が終了される。
【００７９】
ステップ１００で肯定判定されると、ステップ１０４へ移行し、表示画面切替部７８により、画面の表示切り替えが行われる。なお、初期の印刷ジョブデータ受付時は、プリンタドライバに関する画面の非表示状態から図３（Ａ）で示された印刷設定画面４０Ａが表示される動作を切替えという。ステップ１０４で４０（Ａ）が表示されるとステップ１０６へ移行する。
【００８０】
ステップ１０６では、印刷設定画面４０Ａ上で主画像についての印刷設定が行われ、ステップ１０８へ移行する。
【００８１】
ステップ１０８では、主画像の画像データにＲＩＰ処理等が施され、プリンタ３０で印刷するための主画像用の印刷データが生成される。
【００８２】
次にステップ１１０へ移行し、あて紙機能を使用するか否かを判定する。すなわち、図３（Ａ）に示されている印刷設定画面４０Ａに表示されている、あて紙印刷ボタン４２が操作されたか否かを判定する。ステップ１１０で否定判定の場合、すなわち、あて紙印刷ボタン４２が操作されていない場合には、主画像のみを印刷すればよいので、ステップ１２４へ移行する。
【００８３】
ステップ１１０で肯定判定であった場合、すなわち、あて紙印刷ボタン４２が操作された場合は、ステップ１１２へ移行し、印刷設定画面４０Ａから、あて紙印刷画面４０Ｂへ画面が切り替わるようになっている。
【００８４】
次に、ステップ１１４へ移行し、主画像データの輪郭部分が抽出され、ステップ１１６へ移行する。なお、この主画像データからの輪郭部分の抽出は、周知の輪郭自動抽出制御に基づくものであり、例えば、極端な濃度差を境界として輪郭を抽出することが考えられる。
【００８５】
ステップ１１６では、あて紙処理サブルーチンを実行する。このあて紙処理サブルーチンの詳細については後述する。
【００８６】
次に、ステップ１１８へ移行し、あて紙画像の画像データにＲＩＰ処理等が施され、プリンタ３０で印刷するための印刷データが生成される。
【００８７】
次に、ステップ１２０へ移行し、ステップ１０８及びステップ１１８で処理した主画像用の印刷データとあて紙画像用の印刷データとを統合して、統合印刷データを生成し、ステップ１２４へ移行する。ステップ１２４では、プリンタ３０へ前記統合された印刷データが送信される。
【００８８】
次に、図６のフローチャートに従い、本実施の形態にかかるプリンタドライバ制御部６６で実行される、あて紙処理サブルーチンを説明する。
【００８９】
ステップ１５２では、あて紙印刷画面４０Ｂ上で、あて紙印刷のための設定変更が行われたか否かを判定する。ステップ１５２で否定判定された場合は、ステップ１７０に移行する。ステップ１７０では、あて紙印刷画面２４Ｂ上にあるＯＫボタンを操作したか否かが判定される。ステップ１７０で否定判定された場合は、ステップ１７４へ移行する。ステップ１７４では、あて紙印刷設定画面２４Ｂ上にあるデフォルトボタンを操作したか否かを判定する。ステップ１７４で否定判定された場合は、ステップ１７８へ移行する。ステップ１７８では、あて紙印刷設定画面２４Ｂ上にあるキャンセルボタンを操作したか否かを判定する。ステップ１７８で否定判定された場合は、ステップ１５２へ移行する。
【００９０】
このように、ステップ１５２、１７０、１７４、１７８のいずれでも否定判定された場合は、このステップ１５２、１７０、１７４、１７８を繰り返すことになる。
【００９１】
ステップ１５２で肯定判定の場合は、ステップ１５４へ移行し、設定した内容は、あて紙印刷画面４０Ｂにある輪郭線種ボタン４４の操作であるか否かを判定する。
【００９２】
ステップ１５４で否定判定の場合、すなわち輪郭線種ボタン４４が操作されていない場合は、画面の切り替えは行われず、ステップ１５６へ移行する。
【００９３】
ステップ１５６では、あて紙印刷画面４０Ｂ上で、あて紙に関しての設定が行われる。具体的には、あて紙の用紙を印刷する給紙トレイ３４の選択、あて紙部数の選択、及びあて紙の拡張幅をそれぞれのプルダウンメニューから反転表示させることにより、あて紙の設定が仮決定される。
【００９４】
次に、ステップ１５８へ移行し、ステップ１５６で仮決定された内容がプレビュー画面４３Ｂに表示され、ステップ１５２へ戻る。
【００９５】
一方、ステップ１５４で肯定判定であった場合は、ステップ１６０へ移行し、図３（Ｃ）に示されている輪郭線種画面４０Ｃに画面が切り換えられる。
【００９６】
次に、ステップ１６２では、輪郭線種画面４０Ｃで設定する内容を決定する。具体的には、輪郭線の色、輪郭線の幅、及び輪郭線の種類をそれぞれのプルダウンメニューから反転表示させることにより、輪郭線種の設定が仮決定される。
【００９７】
次に、ステップ１６４へ移行し、輪郭線種画面４０Ｃ上にあるＯＫボタンを操作したか否かを判定する。
【００９８】
ステップ１６４で肯定判定であれば、ステップ１６６へ移行し、輪郭線種画面４０Ｃで設定した内容を反映させてステップ１６９へ移行し、あて紙印刷画面４０Ｂを表示し、ステップ１５２へ移行する。なお、輪郭画像の大きさや輪郭線種は変更可能であるが、例えば輪郭画像データの一部分のみを大幅に拡張するような変更はできない。
【００９９】
一方、ステップ１６４で否定判定であった場合は、ステップ１６８へ移行し、輪郭線種画面４０Ｃ上にあるキャンセルボタンが操作されたか否かを判定し、肯定判定であれば設定した内容は反映されずにステップ１６９へ移行して、あて紙印刷画面４０Ｂを表示し、ステップ１５２へ移行する。また、ステップ１６８で否定判定であった場合は、ステップ１６４へ戻る。
【０１００】
次に、ステップ１７０で肯定判定された場合は、ステップ１７２へ移行し、今までの設定内容を反映し、ステップ１７９へ移行する。ステップ１７９では、印刷設定画面４０ａを表示し、このルーチンは終了する。
【０１０１】
また、ステップ１７４で肯定判定された場合は、ステップ１７６へ移行し、設定内容は反映せず（デフォルト設定に戻す）、ステップ１７９へ移行する。ステップ１７９では、印刷設定画面４０ａを表示し、このルーチンは終了する。
【０１０２】
さらに、ステップ１７８で肯定判定された場合は、ステップ１７９へ移行する。ステップ１７９では、印刷設定画面４０ａを表示し、このルーチンは終了する。
【０１０３】
なお、本実施の形態では、クライアントＰＣ１２にプリンタドライバ制御部６６を設ける説明を行ったが、印刷装置（プリンタ）３０にプリンタドライバ制御部６６を設けて処理を行ってもよい。
【図面の簡単な説明】
【０１０４】
【図１】本実施の形態に係る画像形成システムの構成を示す概略図である。
【図２】本実施の形態に係るクライアントＰＣのハード構成を示すブロック図である。
【図３】本実施の形態に係るプリンタドライバの画面及び広告等のイメージを示す概略図である。
【図４】本実施の形態に係るプリンタドライバでの処理の流れを示す機能ブロック図である。
【図５】本実施の形態に係るプリンタドライバでの処理の流れを示すフローチャートである。
【図６】本実施の形態に係るあて紙処理のサブルーチンの流れを示すフローチャートである。
【符号の説明】
【０１０５】
１０  画像形成システム
１２  クライアントＰＣ
１０  画像形成システム
２８  通信回線網
３０  プリンタ
３２  画像形成部
３４  給紙トレイ
３６  用紙
４０  プリンタドライバ設定画面
４０Ａ  印刷設定画面
４０Ｂ  あて紙印刷画面
４０Ｃ  輪郭線種画面
４２  あて紙印刷ボタン
４３  プレビュー画面
４３Ａ  主画像プレビュー画面
４３Ｂ  あて紙プレビュー画面
４４  輪郭線種ボタン
４６  あて紙部数ボタン
４８  あて紙拡張ボタン
５０  補強広告
５２  編集画面
６０  アプリケーションソフト実行制御部
６０  紙印刷画面表示制御部
６２  入力系
６４  出力系
６６  プリンタドライバ制御部
６８  入力信号解析部（編集指示手段、記録用紙種指定手段）
７０  ジョブデータ受付部（受付手段）
７２  主画像データ用ＲＩＰ処理部
７４  印刷実行部
７６  あて紙用画像データ抽出部（編集処理手段）
７７  あて紙画像データ用ＲＩＰ処理部
７８  示画面切替部
８０  印刷設定画面表示制御部
８２  あて紙設定画面表示制御部
８４  データ統合部
８６  統合印刷データ出力部（印刷実行指示手段）
【図１】
2010079629.tif 000003
【図２】
2010079629.tif 000004
【図４】
2010079629.tif 000005
【図５】
2010079629.tif 000006
【図６】
2010079629.tif 000007
【図３】
2010079629.tif 000008